(57)【要約】【課題】より少ない配線数で複数台をマスタスレーブ並列運転させる。【解決手段】電圧Ｖａｃが入力される入力端子２ａ，２ｂと、出力端子４ａ，４ｂと、マスタ端子５と、スレーブ端子６と、電圧Ｖａｃから生成された直流入力電圧Ｖｉをスイッチングして、目標電圧値の直流電圧Ｖｏを出力端子４に出力する定電圧動作および目標電流値の直流電流Ｉｏを出力端子４に出力する定電流動作を切り換えて実行するスイッチング電源部７と、出力端子４から出力される電流の電流値を示す電流検出信号Ｓｉｏを生成し、電圧値Ｖｂ１（＞閾値電圧値Ｖｔｈ）のバイアス電圧Ｖｂを信号Ｓｉｏに重畳させた電圧Ｖｃｎｔをマスタ端子５へ出力する指示電圧生成部８と、スレーブ端子６への印加電圧値Ｖｓｌｖ１と閾値電圧値Ｖｔｈとを比較し、その結果に基づき定電圧動作または定電流動作に切り換える制御信号Ｓｍｄを電源部７に出力する動作切換部９とを備えている。【選択図】図１
2020162190.tif 000002
【特許請求の範囲】
【請求項１】
入力電圧が入力される一対の入力端子と、
一対の出力端子と、
マスタ端子と、
スレーブ端子と、
前記入力電圧に基づいて生成された直流入力電圧をスイッチングするスイッチング素子を有して、設定された目標電圧値の直流電圧を前記入力電圧に基づいて生成して前記出力端子に出力する定電圧動作、および設定された目標電流値の直流電流を前記入力電圧に基づいて生成して前記出力端子に出力する定電流動作を切り換えて実行可能に構成されたスイッチング電源部と、
前記スイッチング電源部から前記出力端子を介して外部に出力される電流の電流値に比例して電圧値が変化する電流指示電圧を生成すると共に、予め規定された閾値電圧値を超える予め規定された電圧値のバイアス電圧を当該電流指示電圧に重畳させて動作指示電圧として前記マスタ端子から外部に出力する指示電圧生成部と、
前記スレーブ端子に外部から印加されている印加電圧の印加電圧値と前記閾値電圧値とを比較して、当該印加電圧値が当該閾値電圧値を下回るときには、前記定電圧動作に切り換えるための制御信号を前記スイッチング電源部に出力し、当該印加電圧値が当該閾値電圧値を上回るときには、当該印加電圧値と前記バイアス電圧との差分電圧値に比例した電流値を前記目標電流値とする前記定電流動作に切り換えるための制御信号を前記スイッチング電源部に出力する動作切換部とを備えている電源装置。
【請求項２】
前記スイッチング電源部は、前記定電流動作の実行状態において、前記直流電流の現在電流値と前記目標電流値との差分に応じた操作量に前記出力端子の電圧の変動状態に応じた操作量を加味して操作量を算出すると共に、当該算出した操作量に基づいて前記スイッチング素子のオンデューティを制御する請求項１記載の電源装置。
【請求項３】
前記一対の入力端子に一対の電源ラインを介して接続されると共に、当該一対の入力端子に接続される入力ラインから当該一対の入力端子および当該一対の電源ラインを介して前記入力電圧として入力される交流入力電圧を整流平滑して前記スイッチング電源部に前記直流入力電圧として出力する一次側整流平滑部と、当該一対の電源ラインに介装されたヒューズまたはブレーカとを備えると共に、前記スイッチング電源部は絶縁トランスを備えて絶縁型コンバータとして構成された請求項１または２記載の電源装置を複数台有し、
前記複数台の電源装置の前記出力端子は、並列接続され、
前記複数台の電源装置のうちの１台をマスタ電源装置として、当該マスタ電源装置の前記マスタ端子は残りの電源装置すべての前記スレーブ端子に接続され、
前記並列接続された前記出力端子に接続されると共に、前記電源装置からの前記直流電圧に基づいて動作する医療機器を備えている医療システム。
【請求項４】
前記一対の入力端子に一対の電源ラインを介して接続されると共に、当該一対の入力端子に接続される入力ラインから当該一対の入力端子および当該一対の電源ラインを介して前記入力電圧として入力される交流入力電圧を整流平滑して前記スイッチング電源部に前記直流入力電圧として出力する一次側整流平滑部を備えると共に、前記スイッチング電源部は絶縁トランスを備えて絶縁型コンバータとして構成された請求項１または２記載の電源装置を複数台有し、
前記複数台の電源装置の前記出力端子は、並列接続され、
前記複数台の電源装置のうちの１台をマスタ電源装置として、当該マスタ電源装置の前記マスタ端子は残りの電源装置すべての前記スレーブ端子に接続され、
前記入力ラインに介装されたヒューズまたはブレーカと、
前記並列接続された前記出力端子に接続されると共に、前記電源装置からの前記直流電圧に基づいて動作する医療機器とを備えている医療システム。
【請求項５】
前記一対の入力端子に一対の電源ラインを介して接続されると共に、当該一対の入力端子に接続される入力ラインから当該一対の入力端子および当該一対の電源ラインを介して前記入力電圧として入力される交流入力電圧を整流平滑して前記スイッチング電源部に前記直流入力電圧として出力する一次側整流平滑部と、当該一対の電源ラインうちの一方の電源ラインに介装された第１ヒューズまたは第１ブレーカとを備えると共に、前記スイッチング電源部は絶縁トランスを備えて絶縁型コンバータとして構成された請求項１または２記載の電源装置を複数台有し、
前記複数台の電源装置の前記出力端子は、並列接続され、
前記複数台の電源装置のうちの１台をマスタ電源装置として、当該マスタ電源装置の前記マスタ端子は残りの電源装置すべての前記スレーブ端子に接続され、
前記一対の電源ラインのうちの他方の電源ラインに前記入力端子を介して接続される前記入力ラインに介装された第２ヒューズまたは第２ブレーカと、
前記並列接続された前記出力端子に接続されると共に、前記電源装置からの前記直流電圧に基づいて動作する医療機器とを備えている医療システム。
【発明の詳細な説明】
【技術分野】
【０００１】
本発明は、複数台によるマスタ・スレーブ動作を行い得る電源装置、およびこの電源装置を備えた医療システムに関するものである。
【背景技術】
【０００２】
この種の電源装置として、本願出願人が既に開発した電源装置が知られている（非特許文献１参照）。この電源装置は、図７に示すように、交流入力端子、交流入力端子(交流入力端子および交流入力端子は図示せず)、直流出力端子＋、直流出力端子−、信号コモン端子−ＣＯＭ、出力電圧基準端子ＲＥＦ、出力電圧可変端子ＲＶ、およびカレントバランス端子ＣＢを備えている。この電源装置では、複数台の各直流出力端子＋，−を共通の負荷に対して接続して並列運転動作させる構成として、各電源装置のカレントバランス端子ＣＢ同士および信号コモン端子−ＣＯＭ同士を相互に接続することにより、各電源装置の出力電流を均一化させ得る構成（第１の構成）と、この第１の構成の接続に加えて、各電源装置のうちからマスタとして選択した１台の電源装置の出力電圧基準端子ＲＥＦをすべての電源装置（マスタを含む）の出力電圧可変端子ＲＶに接続することにより、各電源装置の出力電流を均一化させつつ、マスタの出力電圧を変更するだけで他の電源装置（スレーブ）の出力電圧をマスタの出力電圧に追従させ得る構成（第２の構成。いわゆるマスタスレーブ並列運転）のいずれか一方を選択することが可能となっている。
【先行技術文献】
【非特許文献】
【０００３】
【非特許文献１】ＴＤＫラムダ株式会社のホームページに掲載の「ＲＫＥ  ＳＥＲＩＥＳ」、［２０１９年３月７日検索］、インターネット＜https://product.tdk.com/info/ja/catalog/datasheets/rke_j.pdf＞
【発明の概要】
【発明が解決しようとする課題】
【０００４】
ところが、上記した電源装置には、複数台をマスタスレーブ並列運転させて１つの負荷に電力を供給する場合に、上記したように、各電源装置のカレントバランス端子ＣＢ同士および信号コモン端子−ＣＯＭ同士を相互に接続し、かつマスタとしての電源装置の出力電圧基準端子ＲＥＦをすべての電源装置の出力電圧可変端子ＲＶに接続する必要があり、配線数が多いことから、配線に手間がかかるという改善すべき課題が存在している。
【０００５】
本発明は、かかる課題を解決するためになされたものであり、より少ない配線数で複数台をマスタスレーブ並列運転させ得る電源装置、およびこの電源装置を備えた医療システムを提供することを他の主目的とする。
【課題を解決するための手段】
【０００６】
上記目的を達成すべく、本発明に係る電源装置は、入力電圧が入力される一対の入力端子と、一対の出力端子と、マスタ端子と、スレーブ端子と、前記入力電圧に基づいて生成された直流入力電圧をスイッチングするスイッチング素子を有して、設定された目標電圧値の直流電圧を前記入力電圧に基づいて生成して前記出力端子に出力する定電圧動作、および設定された目標電流値の直流電流を前記入力電圧に基づいて生成して前記出力端子に出力する定電流動作を切り換えて実行可能に構成されたスイッチング電源部と、前記スイッチング電源部から前記出力端子を介して外部に出力される電流の電流値に比例して電圧値が変化する電流指示電圧を生成すると共に、予め規定された閾値電圧値を超える予め規定された電圧値のバイアス電圧を当該電流指示電圧に重畳させて動作指示電圧として前記マスタ端子から外部に出力する指示電圧生成部と、前記スレーブ端子に外部から印加されている印加電圧の印加電圧値と前記閾値電圧値とを比較して、当該印加電圧値が当該閾値電圧値を下回るときには、前記定電圧動作に切り換えるための制御信号を前記スイッチング電源部に出力し、当該印加電圧値が当該閾値電圧値を上回るときには、当該印加電圧値と前記バイアス電圧との差分電圧値に比例した電流値を前記目標電流値とする前記定電流動作に切り換えるための制御信号を前記スイッチング電源部に出力する動作切換部とを備えている。
【０００７】
したがって、この電源装置によれば、複数台をマスタ・スレーブ接続して電源システムを構成して、共通の負荷に電力を供給（出力）する際に行う接続作業（配線作業）として、各電源装置の入力端子を入力ラインに接続する作業、および各電源装置の出力端子を負荷に接続する作業以外の接続作業（つまり、マスタ・スレーブ動作のための接続作業）として、マスタとする電源装置のマスタ端子を残りのすべての電源装置のスレーブ端子に配線で接続する作業だけを行えば済むため、より少ない配線数でマスタ・スレーブ動作のための接続作業を完了させることができる。
【０００８】
本発明に係る電源装置は、前記スイッチング電源部は、前記定電流動作の実行状態において、前記直流電流の現在電流値と前記目標電流値との差分に応じた操作量に前記出力端子の電圧の変動状態に応じた操作量を加味して操作量を算出すると共に、当該算出した操作量に基づいて前記スイッチング素子のオンデューティを制御する。
【０００９】
したがって、この電源装置によれば、スレーブとして動作する電源装置において、スイッチング電源部が、直流電流の現在電流値と前記目標電流値との差分に応じた操作量に基づく動作（マスタの電源装置と連動して直流電流の電流値を増減させる動作）に先んじて、出力端子の電圧の変動状態に応じた操作量に基づく動作（自らが直流電圧の現在電圧値の変動に対応して自らの直流電流の電流値を増減する動作）を開始することができる。これにより、スレーブとして動作する電源装置は、直流電圧の現在電圧値が急変動した場合においても、この急変動に良好に追従して自ら出力する直流電流の電流値を増減させることができることから、マスタ・スレーブ接続された複数台の電源装置は、全体として、直流電圧の現在電圧値をより短時間で目標電圧値に戻して維持することができる。
【００１０】
本発明に係る医療システムは、前記一対の入力端子に一対の電源ラインを介して接続されると共に、当該一対の入力端子に接続される入力ラインから当該一対の入力端子および当該一対の電源ラインを介して前記入力電圧として入力される交流入力電圧を整流平滑して前記スイッチング電源部に前記直流入力電圧として出力する一次側整流平滑部と、当該一対の電源ラインに介装されたヒューズまたはブレーカとを備えると共に、前記スイッチング電源部は絶縁トランスを備えて絶縁型コンバータとして構成された上記のいずれかの電源装置を複数台有し、前記複数台の電源装置の前記出力端子は、並列接続され、前記複数台の電源装置のうちの１台をマスタ電源装置として、当該マスタ電源装置の前記マスタ端子は残りの電源装置すべての前記スレーブ端子に接続され、前記並列接続された前記出力端子に接続されると共に、前記電源装置からの前記直流電圧に基づいて動作する医療機器を備えている。
【００１１】
したがって、この医療システムによれば、上記の各電源装置が、強化絶縁された絶縁トランスを備えている構成において、さらに一対の電源ラインにヒューズまたはブレーカを備えることで、電源装置単体で医療用規格を取得可能な構成を有しているため、各電源装置の外部（具体的には、各電源装置に接続される入力ライン）に絶縁トランスおよびヒューズ（またはブレーカ）を介装することなく、医療用規格を取得可能な構成を実現することができる。また、この医療システムによれば、上記の電源装置を備えたことにより、上記した電源装置を複数台マスタ・スレーブ接続して電源システムを構成するときの効果と同等の効果を奏することができる。
【００１２】
本発明に係る医療システムは、前記一対の入力端子に一対の電源ラインを介して接続されると共に、当該一対の入力端子に接続される入力ラインから当該一対の入力端子および当該一対の電源ラインを介して前記入力電圧として入力される交流入力電圧を整流平滑して前記スイッチング電源部に前記直流入力電圧として出力する一次側整流平滑部を備えると共に、前記スイッチング電源部は絶縁トランスを備えて絶縁型コンバータとして構成された上記のいずれかの電源装置を複数台有し、前記複数台の電源装置の前記出力端子は、並列接続され、前記複数台の電源装置のうちの１台をマスタ電源装置として、当該マスタ電源装置の前記マスタ端子は残りの電源装置すべての前記スレーブ端子に接続され、前記入力ラインに介装されたヒューズまたはブレーカと、前記並列接続された前記出力端子に接続されると共に、前記電源装置からの前記直流電圧に基づいて動作する医療機器とを備えている。
【００１３】
したがって、この医療システムによれば、各電源装置が、強化絶縁された絶縁トランスを備えている構成において、各電源装置の外部（具体的には、各電源装置に接続される入力ライン（Ｌ相ライン，Ｎ相ライン））にヒューズ（またはブレーカ）を介装するだけで、医療用規格を取得可能な構成を実現することができる。また、この医療システムによれば、上記の電源装置を備えたことにより、上記した電源装置を複数台マスタ・スレーブ接続して電源システムを構成するときの効果と同等の効果を奏することができる。
【００１４】
本発明に係る医療システムは、前記一対の入力端子に一対の電源ラインを介して接続されると共に、当該一対の入力端子に接続される入力ラインから当該一対の入力端子および当該一対の電源ラインを介して前記入力電圧として入力される交流入力電圧を整流平滑して前記スイッチング電源部に前記直流入力電圧として出力する一次側整流平滑部と、当該一対の電源ラインうちの一方の電源ラインに介装された第１ヒューズまたは第１ブレーカとを備えると共に、前記スイッチング電源部は絶縁トランスを備えて絶縁型コンバータとして構成された上記のいずれかの電源装置を複数台有し、前記複数台の電源装置の前記出力端子は、並列接続され、前記複数台の電源装置のうちの１台をマスタ電源装置として、当該マスタ電源装置の前記マスタ端子は残りの電源装置すべての前記スレーブ端子に接続され、前記一対の電源ラインのうちの他方の電源ラインに前記入力端子を介して接続される前記入力ラインに介装された第２ヒューズまたは第２ブレーカと、前記並列接続された前記出力端子に接続されると共に、前記電源装置からの前記直流電圧に基づいて動作する医療機器とを備えている。
【００１５】
したがって、この医療システムによれば、各電源装置が、強化絶縁された絶縁トランスを備えている構成において、さらに一方の電源ラインに介装された第１ヒューズまたは第１ブレーカを内部に備えているため、電源装置の外部（具体的には、電源装置に接続される入力ラインのうちの他方の電源ラインに接続される入力ライン）に第２ヒューズまたは第２ブレーカを介装するだけで、医療用規格を取得可能な構成を実現することができる。また、この医療システムによれば、上記の電源装置を備えたことにより、上記した電源装置を複数台マスタ・スレーブ接続して電源システムを構成するときの効果と同等の効果を奏することができる。
【発明の効果】
【００１６】
本発明の電源装置および医療システムによれば、複数台の電源装置をマスタ・スレーブ接続して電源システムを構成して、共通の負荷に電力を供給（出力）する際に行う接続作業（配線作業）のうちのマスタ・スレーブ動作のための接続作業として、マスタとする電源装置のマスタ端子を残りのすべての電源装置のスレーブ端子に配線で接続する作業だけを行えば済むため、より少ない配線数でマスタ・スレーブ動作のための接続作業を完了させることができる。
【図面の簡単な説明】
【００１７】
【図１】電源装置１の構成を示す構成図である。
【図２】電源装置１の制御部２２についての構成図である。
【図３】３台の電源装置１１，１２，１３をマスタ・スレーブ接続して構成された電源システムＰＳＳの構成図である。
【図４】３台の電源装置１１，１２，１３で構成された電源システムＰＳＳを備えた医療システムＭＥＳ１の構成図である。
【図５】３台の電源装置１１，１２，１３で構成された電源システムＰＳＳを備えた他の医療システムＭＥＳ２の構成図である。
【図６】３台の電源装置１１，１２，１３で構成された電源システムＰＳＳを備えた他の医療システムＭＥＳ３の構成図である。
【図７】３台の従来の電源装置をマスタ・スレーブ接続して構成された電源システムの構成図である。
【発明を実施するための形態】
【００１８】
以下、電源装置および医療システムの実施の形態について、図面を参照しつつ説明する。
【００１９】
最初に、電源装置の一例としての電源装置１の構成について図１を参照して説明する。この電源装置１は、一例として、一対の入力端子２ａ，２ｂ、一次側整流平滑部３、一対の出力端子４ａ，４ｂ、マスタ端子５（図中では、ＭＳＴとも表記する）、スレーブ端子６（図中では、ＳＬＶとも表記する）、スイッチング電源部７、指示電圧生成部８、および動作切換部９を備えている。また、電源装置１は、マスタ端子５から出力される後述の動作指示電圧Ｖｃｎｔ、およびスレーブ端子６に印加される後述の印加電圧Ｖｓｌｖについての基準電位となる部位（指示電圧生成部８および動作切換部９などのグランドＧ）が接続された信号コモン端子１０（図中では、−ＣＯＭとも表記する）を備えている。
【００２０】
一対の入力端子２ａ，２ｂは、電源装置１外部の入力ライン（不図示）に接続されて、この一対の入力端子２ａ，２ｂには、入力ラインに供給されている入力電圧としての交流入力電圧Ｖａｃが入力される。一次側整流平滑部３は、一対の電源ライン１１，１２を介して一対の入力端子２ａ，２ｂに接続されると共に、一対の入力端子２ａ，２ｂおよび一対の電源ライン１１，１２を介して入力される交流入力電圧Ｖａｃを整流平滑して直流入力電圧Ｖｉを出力する。
【００２１】
スイッチング電源部７は、一例として、コンバータ部２１および制御部２２を備えている。具体的には、コンバータ部２１は、一例として、１または２以上のスイッチング素子３１ａを有するスイッチング部３１、一次巻線３２ａおよび二次巻線３２ｂを有する絶縁トランス３２、および二次側整流平滑部３３を備えて、絶縁型コンバータとして構成されている。
【００２２】
スイッチング部３１は、図示はしないが、シングルエンディッドフォーワード方式、プッシュプル方式、ハーフブリッジ方式およびフルブリッジ方式などの公知の回路方式のいずれかを採用して構成されて、このいずれかの回路方式に対応した数のスイッチング素子３１ａを備えている。スイッチング部３１は、スイッチング素子３１ａが制御部２２から出力される駆動信号Ｓｄで駆動されることで（駆動信号Ｓｄのパルス幅で規定されるオンデューティでオン・オフ動作することで）、絶縁トランス３２の一次巻線３２ａに直流入力電圧Ｖｉを断続的に印加する。
【００２３】
絶縁トランス３２は、スイッチング部３１によって一次巻線３２ａに直流入力電圧Ｖｉが断続的に印加されているときに、二次巻線３２ｂに誘起電圧を発生させる。二次側整流平滑部３３は、この誘起電圧を整流平滑して直流電圧（直流出力電圧）Ｖｏに変換すると共に、一対の出力ライン１３，１４を介して一対の出力端子４ａ，４ｂ間に出力する。
【００２４】
また、コンバータ部２１は、直流出力電圧Ｖｏを検出すると共に、直流出力電圧Ｖｏの電圧値に比例して電圧値が変化する電圧検出信号Ｓｖｏを出力する電圧検出部３４と、一対の出力ライン１３，１４に流れる出力電流（直流電流）Ｉｏを検出すると共に、直流電流Ｉｏの電流値に比例して電圧値が変化する電流検出信号Ｓｉｏを出力する電流検出部３５とを備えている。
【００２５】
制御部２２は、コンバータ部２１から出力される電圧検出信号Ｓｖｏおよび電流検出信号Ｓｉｏと、直流出力電圧Ｖｏについての目標電圧値Ｖｔｇを示す基準電圧Ｖｖｒと、直流電流Ｉｏについての目標電流値Ｉｔｇを示す基準電圧Ｖｉｒと、動作切換部９から出力される制御信号Ｓｍｄ（定電圧動作または定電流動作を指示する信号）とに基づき、スイッチング部３１に対して、そのスイッチング素子３１ａのオンデューティを制御するための駆動信号Ｓｄを生成して出力する。この基準電圧Ｖｉｒについては、制御部２２が、後述するように外部からスレーブ端子６に印加されている印加電圧Ｖｓｌｖ（電圧値Ｖｓｌｖ１）から後述するバイアス電圧Ｖｂ（電圧値Ｖｂ１）を減算して算出し、その電圧値は（Ｖｓｌｖ１−Ｖｂ１）である。
【００２６】
一例として、制御部２２は、図２に示すように、第１誤差演算部４１、第２誤差演算部４２、定電圧用演算部４３、定電流用第１演算部４４、定電流用第２演算部４５、加算部４６、および駆動信号生成部４７を備えている。
【００２７】
この制御部２２では、第１誤差演算部４１は、電圧検出信号Ｓｖｏで示される直流出力電圧Ｖｏの電圧値（現在電圧値）と基準電圧Ｖｖｒで示される目標電圧値Ｖｔｇとの差分を演算して、この差分を示す第１誤差信号Ｖｅｒ１を出力する。第２誤差演算部４２は、電流検出信号Ｓｉｏで示される直流電流Ｉｏの電流値（現在電流値）と基準電圧Ｖｉｒで示される目標電流値Ｉｔｇとの差分を演算して、この差分を示す第２誤差信号Ｖｅｒ２を出力する。
【００２８】
定電圧用演算部４３は、本例では一例としてＰＩＤ（Proportional-Integral-Differential）演算部で構成されて、第１誤差信号Ｖｅｒ１を入力すると共にこの第１誤差信号Ｖｅｒ１に対するＰＩＤ演算を行うことにより、定電圧動作のときの（定電圧動作の実行状態での）操作量（定電圧操作量）Ａｐｖを出力する。
【００２９】
定電流用第１演算部４４は、本例では一例としてＰＩ（Proportional-Integral ）演算部で構成されて、第２誤差信号Ｖｅｒ２を入力すると共にこの第２誤差信号Ｖｅｒ２に対するＰＩ演算を行うことにより、定電流動作のときの主操作量（定電流第１操作量）Ａｐｉ１を出力する。定電流用第２演算部４５は、本例では一例としてＰＤ（Proportional-Differential ）演算部で構成されて、第１誤差信号Ｖｅｒ１を入力すると共にこの第１誤差信号Ｖｅｒ１に対するＰＤ演算を行うことにより、定電流動作のときの副操作量（定電流第２操作量）Ａｐｉ２を出力する。加算部４６は、定電流用第１演算部４４および定電流用第２演算部４５と共に全体として定電流用演算部として機能して、主操作量Ａｐｉ１と副操作量Ａｐｉ２とを加算することにより、定電流動作のときの最終的な操作量（定電流操作量）Ａｐｉを出力する。
【００３０】
つまり、定電流用第１演算部４４、定電流用第２演算部４５および加算部４６は、直流電流Ｉｏの現在電流値と目標電流値Ｉｔｇとの差分に応じた操作量（主操作量Ａｐｉ１）に出力端子４ａ，４ｂの電圧（つまり、直流出力電圧Ｖｏ）の変動状態（直流出力電圧Ｖｏの電圧値の目標電圧値Ｖｔｇに対する差分）に応じた操作量（副操作量Ａｐｉ２）を加味して操作量（定電流操作量）Ａｐｉを算出して出力する。
【００３１】
駆動信号生成部４７は、定電圧操作量Ａｐｖ、定電流操作量Ａｐｉおよび制御信号Ｓｍｄを入力すると共に、制御信号Ｓｍｄで指示された動作（定電圧動作または定電流動作）に対応した操作量（定電圧動作のときには定電圧操作量Ａｐｖ、定電流動作のときには定電流操作量Ａｐｉ）に基づいて、スイッチング部３１に対してそのスイッチング素子３１ａのオンデューティを制御するための駆動信号Ｓｄを生成して出力する。
【００３２】
以上の構成により、コンバータ部２１および制御部２２で構成されるスイッチング電源部７は、動作切換部９から出力される制御信号Ｓｍｄが定電圧動作を示すものであるときには、制御部２２が定電圧操作量Ａｐｖに基づいて生成した駆動信号Ｓｄをコンバータ部２１に対して出力して、そのスイッチング素子３１ａのオンデューティを制御することにより、直流出力電圧Ｖｏの現在電圧値を目標電圧値Ｖｔｇにする定電圧動作を実行する。また、スイッチング電源部７は、動作切換部９から出力される制御信号Ｓｍｄが定電流動作を示すものであるときには、制御部２２が定電流操作量Ａｐｉに基づいて生成した駆動信号Ｓｄをコンバータ部２１に対して出力して、そのスイッチング素子３１ａのオンデューティを制御することにより、直流電流Ｉｏの現在電流値を目標電流値Ｉｔｇにする定電流動作を実行する。
【００３３】
指示電圧生成部８は、スイッチング電源部７から出力端子４ａ，４ｂを介して外部に出力される直流電流Ｉｏの電流値に比例して電圧値が変化する電流指示電圧を生成する。本例では、スイッチング電源部７から出力される電流検出信号Ｓｉｏが、上記したように、直流電流Ｉｏの電流値に比例して電圧値（以下、説明のため、電圧値Ｖｓｉｏという）が変化する電圧信号であることから、指示電圧生成部８は、電流検出信号Ｓｉｏをこの電流指示電圧として使用する。また、指示電圧生成部８は、予め規定された閾値電圧値Ｖｔｈを超える予め規定された電圧値Ｖｂ１のバイアス電圧Ｖｂ（つまり、Ｖｂ１＞Ｖｔｈ＞０）を生成する。また、指示電圧生成部８は、このバイアス電圧Ｖｂ（電圧値Ｖｂ１）を電流指示電圧としての電流検出信号Ｓｉｏ（電圧値Ｖｓｉｏ）に重畳させて動作指示電圧Ｖｃｎｔを生成する。これにより、動作指示電圧Ｖｃｎｔは、その電圧値が（Ｖｂ１＋Ｖｓｉｏ）に設定される。
【００３４】
また、指示電圧生成部８は、この動作指示電圧Ｖｃｎｔをマスタ端子５から外部に出力する。本例の電源装置１では、複数台をマスタ・スレーブ接続する場合、後述するように、マスタとして動作させる１台の電源装置１のマスタ端子５は、スレーブとして動作させる他のすべての電源装置１のスレーブ端子６に接続される。このため、動作指示電圧Ｖｃｎｔは、スレーブとしての他のすべての電源装置１のスレーブ端子６に印加電圧Ｖｓｌｖとして印加される。また、電源装置１では、スレーブ端子６に他の電源装置１のマスタ端子５が接続されていないときには、スレーブ端子６の電圧は閾値電圧値Ｖｔｈ未満の電圧値（例えば、ゼロボルト）になるように構成されている。
【００３５】
動作切換部９は、スレーブ端子に外部から印加されている印加電圧Ｖｓｌｖの印加電圧値Ｖｓｌｖ１と上記した閾値電圧値Ｖｔｈとを比較して、印加電圧値Ｖｓｌｖ１が閾値電圧値Ｖｔｈ以下のとき（上記したように、スレーブ端子６に他の電源装置１のマスタ端子５が接続されていないとき。つまり、電源装置１がマスタのとき）には、定電圧動作を指示する（定電圧動作に切り換える）ための制御信号Ｓｍｄをスイッチング電源部７（の制御部２２）に出力する。一方、動作切換部９は、印加電圧値Ｖｓｌｖ１が閾値電圧値Ｖｔｈを上回るとき（上記したように、スレーブ端子６に他の電源装置１のマスタ端子５が接続されているとき。つまり、電源装置１がスレーブのとき）には、定電圧動作を指示する（定電圧動作に切り換える）ための制御信号Ｓｍｄをスイッチング電源部７（の制御部２２）に出力する。
【００３６】
次に、図３に示すように、１つの負荷ＬＤに複数台の電源装置１（本例では、電源装置１１，１２，１３の３台）をマスタ・スレーブ接続方式で並列に接続して電力を供給する電源システムＰＳＳの例を挙げて、各電源装置１１，１２，１３（特に区別しないときには、電源装置１ともいう）の動作について説明する。
【００３７】
この電源システムＰＳＳの場合、電源装置１１，１２，１３の出力端子４ａ，４ｂを並列接続し、電源装置１１，１２，１３のうちの１台（電源装置１１）をマスタ電源装置として、マスタ電源装置（電源装置１１）のマスタ端子５を残りの電源装置１２，１３（スレーブ電源装置）のすべてのスレーブ端子６に配線で接続する。なお、電源装置１１のスレーブ端子６および各電源装置１２，１３のマスタ端子５については、未接続のままとする。また、電源装置１１，１２，１３の各信号コモン端子１０を配線で相互に接続する。これにより、電源装置１１，１２，１３のグランドＧが同電位に規定される。なお、図示はしないが、信号コモン端子１０に代えて、出力端子４ａ，４ｂのうちの低電位側の出力端子４ｂを指示電圧生成部８および動作切換部９などのグランドとして使用する場合には、信号コモン端子１０の相互接続を省略することもできる。また、電源装置１１，１２，１３の入力端子２ａ，２ｂは、並列接続して共通の入力ラインから交流入力電圧Ｖａｃを入力する。また、電源装置１１，１２，１３の基準電圧Ｖｖｒ（直流出力電圧Ｖｏについての目標電圧値Ｖｔｇを示す電圧）は同じ電圧に揃えられているものとする。また、負荷ＬＤとしては、電源装置１１，１２，１３からの電力（直流出力電圧Ｖｏと、電源装置１１，１２，１３からの直流電流Ｉｏの合計電流（３×Ｉｏ）とから算出される電力）に基づいて動作する電子機器（例えば、医療機器）などである。
【００３８】
各電源装置１１，１２，１３では、入力端子２ａ，２ｂに交流入力電圧Ｖａｃが入力されると、一次側整流平滑部３が、この交流入力電圧Ｖａｃを整流平滑して直流入力電圧Ｖｉをスイッチング電源部７に出力する。
【００３９】
この場合、マスタとしての電源装置１１では、スレーブ端子６は未接続であり、外部から電圧が印加されていないことから、印加電圧Ｖｓｌｖ（電圧値Ｖｓｌｖ１）は、閾値電圧値Ｖｔｈ未満の電圧値（本例では、ゼロボルト）である。動作切換部９は、この印加電圧Ｖｓｌｖの印加電圧値Ｖｓｌｖ１（ゼロボルト）と閾値電圧値Ｖｔｈ（＞０）とを比較して、印加電圧値Ｖｓｌｖ１が閾値電圧値Ｖｔｈ以下であることから、定電圧動作を指示するための制御信号Ｓｍｄをスイッチング電源部７に出力する。
【００４０】
スイッチング電源部７は、動作切換部９から出力される制御信号Ｓｍｄが定電圧動作を示すものであるため、制御部２２が定電圧操作量Ａｐｖに基づいて生成した駆動信号Ｓｄをコンバータ部２１に対して出力して、スイッチング素子３１ａのオンデューティを制御することにより、直流出力電圧Ｖｏの現在電圧値を目標電圧値Ｖｔｇにする定電圧動作を実行する。この定電圧動作においては、スイッチング電源部７は、例えば負荷ＬＤの変動に起因して、直流出力電圧Ｖｏの現在電圧値が目標電圧値Ｖｔｇを下回る状態のときには、スイッチング素子３１ａのオンデューティを増加させる制御を実行することで、直流電流Ｉｏの電流値を増加させて、直流出力電圧Ｖｏの現在電圧値を目標電圧値Ｖｔｇに戻す。一方、直流出力電圧Ｖｏの現在電圧値が目標電圧値Ｖｔｇを上回るときには、スイッチング電源部７は、スイッチング素子３１ａのオンデューティを減少させる制御を実行することで、直流電流Ｉｏの電流値を減少させて、直流出力電圧Ｖｏの現在電圧値を目標電圧値Ｖｔｇに戻す。
【００４１】
また、指示電圧生成部８は、スイッチング電源部７のコンバータ部２１から出力されている電流検出信号Ｓｉｏ（直流電流Ｉｏの電流値に比例して電圧値が変化する信号）を電流指示電圧として使用して、バイアス電圧Ｖｂ（電圧値Ｖｂ１）を電流検出信号Ｓｉｏ（電圧値Ｖｓｉｏ）に重畳させて動作指示電圧Ｖｃｎｔ（電圧値（Ｖｂ１＋Ｖｓｉｏ））を生成して、マスタ端子５に出力する。これにより、マスタ端子５と配線で接続されている他の電源装置１２，１３のスレーブ端子６には、この動作指示電圧Ｖｃｎｔ（電圧値（Ｖｂ１＋Ｖｓｉｏ））が印加される。
【００４２】
他の電源装置１２，１３では、この動作指示電圧Ｖｃｎｔ（電圧値（Ｖｂ１＋Ｖｓｉｏ））がスレーブ端子６に印加電圧Ｖｓｌｖ（電圧値Ｖｓｌｖ１＝Ｖｂ１＋Ｖｓｉｏ）として印加される。この場合、バイアス電圧Ｖｂの電圧値Ｖｂ１は、閾値電圧値Ｖｔｈを上回っているため、印加電圧Ｖｓｌｖも閾値電圧値Ｖｔｈを上回る電圧値である。動作切換部９は、この印加電圧Ｖｓｌｖの印加電圧値Ｖｓｌｖ１と閾値電圧値Ｖｔｈとを比較して、印加電圧値Ｖｓｌｖ１が閾値電圧値Ｖｔｈを上回ることから、定電流動作を指示するための制御信号Ｓｍｄをスイッチング電源部７に出力する。
【００４３】
スイッチング電源部７は、動作切換部９から出力される制御信号Ｓｍｄが定電流動作を示すものであるため、制御部２２が定電流操作量Ａｐｉに基づいて生成した駆動信号Ｓｄをコンバータ部２１に対して出力して、スイッチング素子３１ａのオンデューティを制御することにより、直流電流Ｉｏの現在電流値を目標電流値Ｉｔｇにする定電流動作を実行する。
【００４４】
この定電流操作量Ａｐｉは、上記したように、直流電流Ｉｏの現在電流値と目標電流値Ｉｔｇとの差分に応じた操作量（主操作量Ａｐｉ１）に直流出力電圧Ｖｏの変動状態（直流出力電圧Ｖｏの電圧値の目標電圧値Ｖｔｇに対する差分）に応じた操作量（副操作量Ａｐｉ２）を加味して算出される操作量である。
【００４５】
この場合、負荷ＬＤに対して並列接続された各電源装置１１，１２，１３から出力されている直流出力電圧Ｖｏの電圧値（現在電圧値）が目標電圧値Ｖｔｇに維持されている通常状態のときには、第１誤差演算部４１から出力される第１誤差信号Ｖｅｒ１はゼロであり、このため、定電流用第２演算部４５が出力する副操作量Ａｐｉ２もゼロになる。したがって、定電流操作量Ａｐｉは、直流電流Ｉｏの現在電流値と目標電流値Ｉｔｇとの差分に応じた操作量（主操作量Ａｐｉ１）だけとなる。
【００４６】
この主操作量Ａｐｉ１は、定電流用第１演算部４４が、第２誤差演算部４２から出力される第２誤差信号Ｖｅｒ２（電流検出信号Ｓｉｏで示される直流電流Ｉｏの電流値（現在電流値）と基準電圧Ｖｉｒで示される目標電流値Ｉｔｇとの差分）に基づいて演算して出力する操作量であることから、直流電流Ｉｏの電流値（現在電流値）を基準電圧Ｖｉｒで示される目標電流値Ｉｔｇにするための操作量である。また、基準電圧Ｖｉｒは、スレーブ端子６に印加されている印加電圧Ｖｓｌｖ（電圧値Ｖｓｌｖ１）からバイアス電圧Ｖｂ（電圧値Ｖｂ１）を減算して算出した電圧であり、この印加電圧Ｖｓｌｖ（電圧値Ｖｓｌｖ１）は動作指示電圧Ｖｃｎｔ（電圧値（Ｖｂ１＋Ｖｓｉｏ））であることから、その電圧値は電圧値Ｖｓｉｏ、つまり、電源装置１１での直流電流Ｉｏの現在電流値を示すものとなっている。
【００４７】
これにより、各電源装置１１，１２，１３から出力されている直流出力電圧Ｖｏの電圧値（現在電圧値）が目標電圧値Ｖｔｇで安定している通常状態のときには、電源装置１２，１３では、スイッチング電源部７は、制御部２２が主操作量Ａｐｉ１だけで構成される定電流操作量Ａｐｉに基づいて生成した駆動信号Ｓｄをコンバータ部２１に対して出力して、スイッチング素子３１ａのオンデューティを制御することにより、直流電流Ｉｏの現在電流値を、この基準電圧Ｖｉｒで示される目標電流値Ｉｔｇ（つまり、電源装置１１での直流電流Ｉｏの現在電流値）にする定電流動作を実行する。したがって、電源装置１２，１３から出力される直流電流Ｉｏの現在電流値は、電源装置１１での直流電流Ｉｏの現在電流値に揃えられることから、負荷ＬＤには、直流出力電圧Ｖｏが目標電圧値Ｖｔｇで、電源装置１１での直流電流Ｉｏの現在電流値の３倍の電流値の直流電流（３×Ｉｏ）の電力が供給される。
【００４８】
一方、各電源装置１１，１２，１３から出力されている直流出力電圧Ｖｏの電圧値（現在電圧値）が目標電圧値Ｖｔｇに対して変動した状態のときには、第１誤差演算部４１から出力される第１誤差信号Ｖｅｒ１は、直流出力電圧Ｖｏの電圧値（現在電圧値）と目標電圧値Ｖｔｇとの差分に応じた電圧値（≠ゼロボルト）となり、このため、定電流用第２演算部４５が出力する副操作量Ａｐｉ２も、直流出力電圧Ｖｏの電圧値（現在電圧値）と目標電圧値Ｖｔｇとの差分に応じた操作量（≠ゼロ）になる。したがって、定電流操作量Ａｐｉは、直流電流Ｉｏの現在電流値と目標電流値Ｉｔｇとの差分に応じた操作量（主操作量Ａｐｉ１）に副操作量Ａｐｉ２が加算された操作量、つまり、直流電流Ｉｏの現在電流値と目標電流値Ｉｔｇとの差分に応じた操作量（主操作量Ａｐｉ１）に直流出力電圧Ｖｏの変動状態（直流出力電圧Ｖｏの電圧値の目標電圧値Ｖｔｇに対する差分）に応じた操作量（副操作量Ａｐｉ２）を加味した操作量となる。
【００４９】
この主操作量Ａｐｉ１は、上記したように、直流電流Ｉｏの電流値（現在電流値）を基準電圧Ｖｉｒで示される目標電流値Ｉｔｇ（電源装置１１での直流電流Ｉｏの現在電流値）にするための操作量である。また、上記したように、電源装置１１では、スイッチング電源部７が定電圧動作を実行することで、例えば負荷ＬＤの変動に起因して、直流出力電圧Ｖｏの現在電圧値が目標電圧値Ｖｔｇを下回る状態のときには、直流電流Ｉｏの電流値を増加させ、一方、直流出力電圧Ｖｏの現在電圧値が目標電圧値Ｖｔｇを上回るときには、直流電流Ｉｏの電流値を減少させることにより、直流出力電圧Ｖｏの現在電圧値を目標電圧値Ｖｔｇに戻すようにしている。このため、電源装置１２，１３のスイッチング電源部７が定電流操作量Ａｐｉを構成する主操作量Ａｐｉ１に副操作量Ａｐｉ２が加味されていない定電流動作（つまり、この主操作量Ａｐｉ１だけで構成された定電流操作量Ａｐｉに基づく定電流動作）を実行する構成のときであっても、電源装置１２，１３が電源装置１１と連動して各々の直流電流Ｉｏの電流値を増減させることができるため、電源装置１１と連携して直流出力電圧Ｖｏの現在電圧値を目標電圧値Ｖｔｇに維持することが可能である。
【００５０】
しかしながら、本例の電源装置１では、定電圧動作において使用される第１誤差演算部４１からの第１誤差信号Ｖｅｒ１（直流出力電圧Ｖｏの電圧値（現在電圧値）目標電圧値Ｖｔｇとの差分を示す信号）が、定電流用第２演算部４５において、定電流動作のときの副操作量（定電流第２操作量）Ａｐｉ２として演算されて、主操作量Ａｐｉ１に加算（加味）されて、主操作量Ａｐｉ１が生成される構成を採用している。したがって、電源装置１２，１３では、スイッチング電源部７が、主操作量Ａｐｉ１に基づく動作（電源装置１１と連動して各々の直流電流Ｉｏの電流値を増減させる動作）に先んじて、副操作量Ａｐｉ２に基づく動作（自らが直流出力電圧Ｖｏの現在電圧値の目標電圧値Ｖｔｇに対する変動を検出して、この検出した変動に対応して自らの直流電流Ｉｏの電流値を増減する動作）を開始することが可能となっている。これにより、電源装置１２，１３は、直流出力電圧Ｖｏの現在電圧値が急変動した場合においても、この急変動に良好に追従して自ら出力する直流電流Ｉｏの電流値を増減させることができることから、電源装置１１，１２，１３は全体として、直流出力電圧Ｖｏの現在電圧値をより短時間に目標電圧値Ｖｔｇに戻して維持することが可能となっている。
【００５１】
以上のことから、負荷ＬＤにおいて必要とされる電力の電力値が通常の電力値から、急に少なくなったり（負荷ＬＤが軽くなったり）、また急に多くなったり（負荷ＬＤが重くなったり）したとしても、マスタ・スレーブ接続された各電源装置１１，１２，１３は、直流出力電圧Ｖｏが目標電圧値Ｖｔｇで、かつ負荷ＬＤが必要とする電流値の１／３の電流値の直流電流Ｉｏの電力を全体として生成して、負荷ＬＤに供給（出力）することが可能となっている。
【００５２】
このように、この電源装置１では、複数台（上記の例では、電源装置１１，１２，１３の３台）をマスタ・スレーブ接続して電源システムＰＳＳを構成して、共通の負荷ＬＤに電力を供給（出力）する際に行う接続作業（配線作業）として、電源装置１１，１２，１３の入力端子２ａ，２ｂを入力ラインに接続する作業、および電源装置１１，１２，１３の出力端子４ａ，４ｂを負荷ＬＤに接続する作業以外の接続作業（つまり、マスタ・スレーブ動作のための接続作業）として、電源装置１１，１２，１３の信号コモン端子１０を相互に接続する作業の他に、マスタとする電源装置（電源装置１１）のマスタ端子５を残りのすべての電源装置１２，１３（スレーブ電源装置）のスレーブ端子６に配線で接続する作業だけを行えば済む。
【００５３】
したがって、この電源装置１によれば、上記した従来の電源装置（マスタ・スレーブ動作のための接続作業として、各電源装置のカレントバランス端子ＣＢ同士および信号コモン端子−ＣＯＭ同士を相互に接続し、かつマスタとしての電源装置の出力電圧基準端子ＲＥＦをすべての電源装置の出力電圧可変端子ＲＶに接続する接続作業を必要とする電源装置）をマスタ・スレーブ接続して電源システムを構成する場合と比較して、より少ない配線数でマスタ・スレーブ動作のための接続作業を完了させて、電源システムＰＳＳを構成することができる。このため、この電源装置１によれば、電源システムＰＳＳを構成するための接続作業にかかる手間を少なくする（接続作業に要する時間を短くする）ことができる。
【００５４】
また、この電源装置１では、スイッチング電源部７は、定電流動作の実行状態において、自ら出力している直流電流Ｉｏの現在電流値と目標電流値Ｉｔｇとの差分に応じた操作量（主操作量Ａｐｉ１）に自らの出力端子４ａ，４ｂの電圧（直流出力電圧Ｖｏ）の変動状態に応じた操作量（副操作量Ａｐｉ２）を加味して定電流動作のときの最終的な操作量（操作量Ａｐｉ）を算出すると共に、この算出した操作量Ａｐｉに基づいてスイッチング素子３１ａのオンデューティを制御する。
【００５５】
したがって、この電源装置１によれば、スレーブとして動作する電源装置１（上記の例では、定電流動作を実行する電源装置１２，１３）において、スイッチング電源部７が、主操作量Ａｐｉ１に基づく動作（電源装置１１と連動して各々の直流電流Ｉｏの電流値を増減させる動作）に先んじて、副操作量Ａｐｉ２に基づく動作（自らが直流出力電圧Ｖｏの現在電圧値の目標電圧値Ｖｔｇに対する変動を検出して、この検出した変動に対応して自らの直流電流Ｉｏの電流値を増減する動作）を開始することができる。これにより、スレーブとして動作する電源装置１（電源装置１２，１３）は、直流出力電圧Ｖｏの現在電圧値が急変動した場合においても、この急変動に良好に追従して自ら出力する直流電流Ｉｏの電流値を増減させることができることから、マスタ・スレーブ接続された複数台の電源装置１は、全体として、直流出力電圧Ｖｏの現在電圧値をより短時間で目標電圧値Ｖｔｇに戻して維持することができる。
【００５６】
なお、負荷ＬＤが急な変動の生じないものであるときには、スレーブとしての電源装置１が定電流動作する際の最終的な操作量Ａｐｉとして、スレーブとしての電源装置１の直流電流Ｉｏの現在電流値と目標電流値Ｉｔｇ（マスタの電源装置１からスレーブ端子６に印加される動作指示電圧Ｖｃｎｔに含まれる電圧値Ｖｓｉｏで示されるマスタの電源装置１の直流電流Ｉｏの現在電流値）との差分に応じた操作量（主操作量Ａｐｉ１）だけでもよい場合がある。この場合には、図２に示す制御部２２の構成において、定電流用第１演算部４４が出力する主操作量Ａｐｉ１だけを操作量Ａｐｉとする構成として、定電流用第２演算部４５および加算部４６を省くこともできる。
【００５７】
このように、複数台がマスタ・スレーブ接続方式で並列に接続されて１つの負荷ＬＤに電力を供給可能に構成された電源装置１の電源システム（上記の例では、３台の電源装置１１，１２，１３で構成された電源システムＰＳＳ）は、負荷ＬＤを医療機器とすることで、医療システムに用いることができる。
【００５８】
以下において、この電源システムＰＳＳを備えた医療システムＭＥＳ１について、図３に示すように３台の電源装置１１，１２，１３で構成された電源システムＰＳＳを備えた構成を例に挙げて、図４を参照して説明する。なお、すべての電源装置１（図４では、電源装置１１，１２，１３）の絶縁トランス３２は、医療用規格に合致した絶縁性能を有している（強化絶縁されている）ものとする。また、負荷ＬＤとして、医療機器が接続されているものとする。また、各電源装置１の筐体Ｈには、接地のためのＦＧラインが接続されているものとする。なお、各電源装置１の制御部２２、指示電圧生成部８および動作切換部９についての図示、並びに各電源装置１の信号コモン端子１０を相互に接続する構成についての図示は省略した。
【００５９】
この場合、各電源装置１は、入力ライン（Ｌ相ライン，Ｎ相ライン）間から供給される入力電圧としての交流入力電圧Ｖａｃを一対の入力端子２ａ，２ｂを介して入力して動作する。このため、電源装置１は、上記したようにその内部に、一対の入力端子２ａ，２ｂに一対の電源ライン１１，１２を介して接続された一次側整流平滑部３を備え、この一次側整流平滑部３が、入力ラインＬ，Ｎと一対の入力端子２ａ，２ｂと一対の電源ライン１１，１２とを介して入力される交流入力電圧Ｖａｃを整流平滑して直流入力電圧Ｖｉを生成して、スイッチング電源部７のコンバータ部２１に出力するように構成されている。また、各電源装置１は、その内部に、一対の電源ライン１１，１２に介装されたヒューズ７１（またはブレーカ）を備えている。
【００６０】
この電源システムＰＳＳ（複数台の電源装置１がマスタ・スレーブ接続方式で並列に接続されて構成された電源システム）を備えた医療システムＭＥＳ１によれば、各電源装置１が、上記のように強化絶縁された絶縁トランス３２とヒューズ７１とを備えて単体で医療用規格を取得可能な構成を有しているため、各電源装置１の外部（具体的には、電源装置１に接続される入力ライン（Ｌ相ライン，Ｎ相ライン））に絶縁トランスおよびヒューズ（またはブレーカ）を介装することなく、医療用規格を取得可能な構成を実現することができる。また、この医療システムＭＥＳ１によれば、電源システムＰＳＳを備えたことにより、上記した電源装置１で電源システムＰＳＳを構成するときの効果と同等の効果を奏することができる。
【００６１】
また、上記の医療システムＭＥＳ１では、各電源装置１が内部にヒューズ７１（またはブレーカ）を備える構成であったが、内部にヒューズ７１（またはブレーカ）を備えていない電源装置１で医療システムを構成することもできる。以下、この構成を採用した医療システムＭＥＳ２について図５を参照して説明する。なお、上記した医療システムＭＥＳ１と同一の構成については同一の符号を付して重複する説明については省略し、医療システムＭＥＳ１と相違する構成について主として説明する。
【００６２】
この医療システムＭＥＳ２では、ヒューズ７１（またはブレーカ）は、図５に示すように、各電源装置１の入力端子２ａ，２ｂに接続される入力ライン（Ｌ相ライン，Ｎ相ライン）にそれぞれ介装されている。この構成により、入力ライン（Ｌ相ライン，Ｎ相ライン）間から供給される交流入力電圧Ｖａｃは、電源装置１毎に配設されたヒューズ７１（またはブレーカ）を介して各電源装置１の入力端子２ａ，２ｂに入力される。
【００６３】
この電源システムＰＳＳ（複数台の電源装置１がマスタ・スレーブ接続方式で並列に接続されて構成された電源システム）を備えた医療システムＭＥＳ２によれば、各電源装置１が、上記のように強化絶縁された絶縁トランス３２を備えているため、各電源装置１の外部（具体的には、各電源装置１に接続される入力ライン（Ｌ相ライン，Ｎ相ライン））にヒューズ７１（またはブレーカ）を介装するだけで、医療用規格を取得可能な構成を実現することができる。また、この医療システムＭＥＳ２によれば、電源システムＰＳＳを備えたことにより、上記した電源装置１で電源システムＰＳＳを構成するときの効果と同等の効果を奏することができる。
【００６４】
また、上記の医療システムＭＥＳ１，ＭＥＳ２では、各電源装置１の内部および外部のいずれか一方にのみヒューズ７１（またはブレーカ）を介装する構成であったが、各電源装置１の内部および外部の双方にヒューズ７１（またはブレーカ）を介装する構成を採用することもできる。以下、この構成を採用した医療システムＭＥＳ３について図６を参照して説明する。なお、上記した医療システムＭＥＳ１，ＭＥＳ２と同一の構成については同一の符号を付して重複する説明については省略し、医療システムＭＥＳ１，ＭＥＳ２と相違する構成について主として説明する。
【００６５】
この医療システムＭＥＳ３では、各電源装置１は、一対の電源ライン１１，１２のうちの一方の電源ライン（本例では一例として、電源ライン１２）に介装された第１ヒューズとしてのヒューズ７１１（または第１ブレーカとしてのブレーカ）を内部に備えている。また、各電源装置１の外部には、一対の電源ライン１１，１２のうちの他方の電源ライン（本例では一例として、電源ライン１１）に入力端子（本例では、入力端子２ａ）を介して接続される入力ライン（本例では、Ｌ相ライン）に介装された状態で、第２ヒューズとしてのヒューズ７１２（または第２ブレーカとしてのブレーカ）が配設されている。なお、図示はしないが、第１ヒューズとしてのヒューズ７１１（または第１ブレーカとしてのブレーカ）を電源ライン１１に介装し、これに対応して、第２ヒューズとしてのヒューズ７１２（または第２ブレーカとしてのブレーカ）をＮ相ラインに介装する構成を採用することもできる。
【００６６】
この電源システムＰＳＳ（複数台の電源装置１がマスタ・スレーブ接続方式で並列に接続されて構成された電源システム）を備えた医療システムＭＥＳ３によれば、各電源装置１が、上記のように強化絶縁された絶縁トランス３２と一方の電源ライン（電源ライン１１または電源ライン１２）に介装されたヒューズ７１１（ブレーカ）とを内部に備えているため、各電源装置１の外部（具体的には、各電源装置１に接続される入力ライン（Ｌ相ライン，Ｎ相ライン）のうちの他方の電源ラインに接続される入力ライン（Ｌ相ラインまたはＮ相ライン））に他のヒューズ７１２（またはブレーカ）を介装するだけで、医療用規格を取得可能な構成を実現することができる。また、この医療システムＭＥＳ３によれば、電源システムＰＳＳを備えたことにより、上記した電源装置１で電源システムＰＳＳを構成するときの効果と同等の効果を奏することができる。
【符号の説明】
【００６７】
１  電源装置
２ａ，２ｂ  入力端子
４ａ，４ｂ  出力端子
５  マスタ端子
６  スレーブ端子
７  スイッチング電源部
８  指示電圧生成部
９  動作切換部
３１ａ  スイッチング素子
Ｉｏ  直流電流
Ｓｍｄ  制御信号
Ｖａｃ  交流入力電圧
Ｖｂ１  バイアス電圧の電圧値
Ｖｃｎｔ  動作指示電圧
Ｖｉ  直流入力電圧
Ｖｏ  直流電圧
Ｖｓｉｏ  電流検出信号の電圧値
Ｖｓｌｖ  印加電圧
Ｖｔｈ  閾値電圧値
【図１】
2020162190.tif 000003
【図２】
2020162190.tif 000004
【図３】
2020162190.tif 000005
【図４】
2020162190.tif 000006
【図５】
2020162190.tif 000007
【図６】
2020162190.tif 000008
【図７】
2020162190.tif 000009